(57)【要約】      （修正有）【課題】ディスプレイ装置を通じてマルチビュー機能を具現する時、ユーザ各々に対応する映像を効率的に制御するためのユーザインターフェースの提供。【解決手段】ディスプレイ装置は、少なくとも一つのチャンネルの映像信号を受信する映像受信部、前記受信された映像信号を既設定された映像処理プロセスに従って処理する映像処理部、前記処理された映像信号による映像を表示するディスプレイ部、前記表示される映像に同期して動作可能な少なくとも一つのマルチビューデバイスと通信する通信部、及び前記少なくとも一つのマルチビューデバイスに対応するチャンネル及び表示モードを選択するためのＵＩを前記ディスプレイ部に表示するように制御し、ユーザから前記ＵＩを通じて前記チャンネル及び表示モードの選択に関する命令が入力される場合、前記選択されたチャンネル及び表示モードに基づいて映像を表示するように前記映像処理部を制御する制御部を含む。【選択図】図２
2013258692.tif 000002
【特許請求の範囲】
【請求項１】
ディスプレイ装置において、
少なくとも一つのチャンネルの映像信号を受信する映像受信部；
前記受信された映像信号を既設定された映像処理プロセスに従って処理する映像処理部；
前記処理された映像信号による映像を表示するディスプレイ部；
前記表示される映像に同期して動作可能な少なくとも一つのマルチビューデバイスと通信する通信部；及び
前記少なくとも一つのマルチビューデバイスに対応するチャンネル及び表示モードを選択するためのＵＩを前記ディスプレイ部に表示するように制御し、ユーザから前記ＵＩを通じて前記チャンネル及び表示モードの選択に関する命令が入力される場合、前記選択されたチャンネル及び表示モードに基づいて映像を表示するように前記映像処理部を制御する制御部を含むことを特徴とするディスプレイ装置。
【請求項２】
前記表示モードは２Ｄ表示モード及び３Ｄ表示モードを含むことを特徴とする請求項１に記載のディスプレイ装置。
【請求項３】
ユーザの命令が入力されるためのユーザ入力部をさらに含み、
前記ユーザ入力部は前記ＵＩを選択するための複数のボタンを含むことを特徴とする請求項１に記載のディスプレイ装置。
【請求項４】
前記制御部は前記ユーザ入力部を通じて前記マルチビューデバイスの中で一つが選択されれば、前記ユーザ入力部を通じるユーザの命令に基づいて前記選択されたマルチビューデバイスに対応する画面が操作されるように制御することを特徴とする請求項３に記載のディスプレイ装置。
【請求項５】
前記ユーザ入力部は前記マルチビューデバイスの中で一つを選択するためのボタンを含み、
前記制御部は前記マルチビューデバイスの選択に関する情報を前記ディスプレイ部に表示するように制御することを特徴とする請求項４に記載のディスプレイ装置。
【請求項６】
前記マルチビューデバイスはユーザの命令が入力されるためのユーザ入力部を含み、
前記制御部は前記通信部を通じて前記マルチビューデバイスのユーザ入力部からユーザの命令が入力されれば、前記命令を送信したマルチビューデバイスに対応する画面が操作されるように制御することを特徴とする請求項１に記載のディスプレイ装置。
【請求項７】
前記制御部は、マルチビュー機能が設定される時、ディスプレイ装置とペアリングされたマルチビューデバイスを検索して前記ディスプレイ部に表示し、前記検索されたマルチビューデバイスの中でユーザによって選択された前記マルチビューデバイスのチャンネル及び表示モードを選択するための前記ＵＩを前記ディスプレイ部に表示するように制御することを特徴とする請求項１に記載のディスプレイ装置。
【請求項８】
前記マルチビューデバイスは、左眼シャッターレンズ及び右眼シャッターレンズを含み、
前記制御部は、前記ＵＩを通じて選択されたチャンネル及び表示モードに対応して表示された画面と前記マルチビューデバイスの前記左眼シャッターレンズ及び前記右眼シャッターレンズの開閉動作を同期すための同期信号を前記通信部を通じて前記マルチビューデバイスに送信するように制御し、
前記マルチビューデバイスは前記同期信号に基づいて前記左眼シャッターレンズ及び前記右眼シャッターレンズを開閉動作することを特徴とする請求項１に記載のディスプレイ装置。
【請求項９】
映像及びＵＩを表示するディスプレイ部と、前記映像に同期して動作可能な少なくとも一つのマルチビューデバイスと通信する通信部を含むディスプレイ装置のモード選択方法において、
ユーザからマルチビュー機能の設定のための命令を受信する段階；
前記少なくとも一つのマルチビューデバイスに対応するチャンネル及び表示モードを選択するためのＵＩを表示する段階；
ユーザから前記ＵＩを通じて前記チャンネル及び表示モードの選択に関する命令が入力される段階；及び
前記ＵＩを通じて選択されたチャンネル及び表示モードに基づいた映像を前記ディスプレイ部に表示する段階を含むことを特徴とするディスプレイ装置のモード選択方法。
【請求項１０】
前記表示モードは２Ｄ表示モード及び３Ｄ表示モードを含むことを特徴とする請求項９に記載のディスプレイ装置のモード選択方法。
【請求項１１】
前記ディスプレイ装置はユーザの命令が入力されるためのユーザ入力部をさらに含み、
前記ユーザ入力部は前記ＵＩを選択するための複数のボタンを含むことを特徴とする請求項９に記載のディスプレイ装置のモード選択方法。
【請求項１２】
前記ユーザ入力部から前記チャンネル及び表示モードの選択に関する命令が入力される段階は、前記マルチビューデバイスの中で一つの選択に関する命令を受信する段階を含み、
前記ユーザの命令に基づいて前記選択されたマルチビューデバイスに対応する画面が操作されるように制御する段階をさらに含むことを特徴とする請求項１１に記載のディスプレイ装置のモード選択方法。
【請求項１３】
前記ユーザ入力部は前記マルチビューデバイスの中で一つを選択するための少なくとも一つのボタンを含み、
前記マルチビューデバイスの選択に関する情報を前記ディスプレイ部に表示する段階をさらに含むことを特徴とする請求項１２に記載のディスプレイ装置のモード選択方法。
【請求項１４】
前記マルチビューデバイスはユーザの命令が入力されるためのユーザ入力部を含み、
前記通信部を通じて前記マルチビューデバイスのユーザ入力部からユーザの命令が入力を受信する段階と、
前記命令を送信したマルチビューデバイスに対応する画面が操作されるように制御する段階をさらに含むことを特徴とする請求項９に記載のディスプレイ装置のモード選択方法。
【請求項１５】
前記ディスプレイ装置とペアリングされたマルチビューデバイスを検索して前記ディスプレイ部に表示する段階をさらに含み、
前記ＵＩを表示する段階は、
前記検索されたマルチビューデバイスの中でユーザによって選択された前記マルチビューデバイスのチャンネル及び表示モードを選択するための前記ＵＩを前記ディスプレイ部に表示する段階を含むことを特徴とする請求項１２に記載のディスプレイ装置のモード選択方法。
【発明の詳細な説明】
【技術分野】
【０００１】
本発明は、ディスプレイ装置及びディスプレイ装置のモード選択方法に係り、さらに詳しくは、ディスプレイ装置に連動して動作する複数のマルチビュー（ｍｕｌｔｉ−ｖｉｅｗ）デバイスを通じて複数のユーザがディスプレイ装置に表示された画面を視聴できるディスプレイ装置及びディスプレイ装置のモード選択方法に関する。
【背景技術】
【０００２】
一般的に、ＴＶはユーザが選択したチャンネルに対応する映像信号をチューニングして外部の映像供給源から受信し、これを処理してディスプレイパネル（ｄｉｓｐｌａｙ  ｐａｎｅｌ）上に映像で表示する。ディスプレイパネル上に表示される映像はすべてのユーザに同一に認知されるので、従来にはＰＩＰ（Ｐｉｃｔｕｒｅ  Ｉｎ  Ｐｉｃｔｕｒｅ）の形態のように映像を画面上で分割して表示する方式以外には多数のユーザが一つのＴＶを通じて互いに好む他のチャンネルを視聴することが不可能だった。
【０００３】
一方、映像技術の発達により３Ｄ立体映像を具現できるＴＶが商用化されているのに、３Ｄ映像技術の中で現在最も普遍化されている３Ｄメガネを着用する方式は、人の両眼が横方向に離れて位置することによって現れる両眼時差を利用したのである。３Ｄメガネ方式の中で、代表的なシャッターメガネ方式は、左眼映像及び右眼映像をかわるがわる画面に表示し、これに同期して３Ｄメガネの左眼レンズ及び右眼レンズが開閉動作を通じて光を透過／遮断することによって、ユーザが左眼及び右眼で各々左眼映像及び右眼映像だけを認知するようにする原理に基づいたのである。
【０００４】
このような３Ｄシャッターメガネの原理を拡張すれば、ＴＶの画面に互いに異なるチャンネルの映像をかわるがわる表示し、これに同期して複数のユーザが着用したそれぞれの３Ｄシャッターメガネのレンズを開閉することによって、複数のユーザが一つの画面を通じて互いに異なるチャンネルの映像を視聴できるマルチビュー（ｍｕｌｔｉ−ｖｉｅｗ）を具現することができる。
【０００５】
マルチビュー機能を活用して複数のユーザが各自の映像を視聴する場合、一つのＴＶに対してユーザ各々に対応する映像を効率的に制御するためのユーザインターフェースが要求される。
【発明の概要】
【発明が解決しようとする課題】
【０００６】
従って、本発明の目的は、ディスプレイ装置を通じてマルチビュー機能を具現する時、ユーザ各々に対応する映像を効率的に制御するためのユーザインターフェースを提供することである。
【課題を解決するための手段】
【０００７】
前記目的は、本発明により、ディスプレイ装置において、少なくとも一つのチャンネルの映像信号を受信する映像受信部；前記受信された映像信号を既設定された映像処理プロセスに従って処理する映像処理部；前記処理された映像信号による映像を表示するディスプレイ部；前記表示される映像に同期して動作可能な少なくとも一つのマルチビューデバイスと通信する通信部；及び前記少なくとも一つのマルチビューデバイスに対応するチャンネル及び表示モードを選択するためのＵＩを前記ディスプレイ部に表示するように制御し、ユーザから前記ＵＩを通じて前記チャンネル及び表示モードの選択に関する命令が入力される場合、前記選択されたチャンネル及び表示モードに基づいて映像を表示するように前記映像処理部を制御する制御部を含むことを特徴とするディスプレイ装置によって達成されることができる。
【０００８】
ここで、前記表示モードは２Ｄ表示モード及び３Ｄ表示モードを含むことができる。ここで、ユーザの命令が入力されるためのユーザ入力部をさらに含み、前記ユーザ入力部は前記ＵＩを選択するための複数のボタンを含むことができる。
【０００９】
ここで、前記制御部は前記ユーザ入力部を通じて前記マルチビューデバイスの中で一つが選択されれば、前記ユーザ入力部を通じるユーザの命令に基づいて前記選択されたマルチビューデバイスに対応する画面が操作されるように制御することができる。
【００１０】
ここで、前記ユーザ入力部は前記マルチビューデバイスの中で一つを選択するためのボタンを含み、前記制御部は前記マルチビューデバイスの選択に関する情報を前記ディスプレイ部に表示するように制御することができる。
【００１１】
ここで、前記マルチビューデバイスはユーザの命令が入力されるためのユーザ入力部を含み、前記制御部は前記通信部を通じて前記マルチビューデバイスのユーザ入力部からユーザの命令が入力されれば、前記命令を送信したマルチビューデバイスに対応する画面が操作されるように制御することができる。
【００１２】
ここで、前記制御部は、マルチビュー機能が設定される時、ディスプレイ装置とペアリングされたマルチビューデバイスを検索して前記ディスプレイ部に表示し、前記検索されたマルチビューデバイスの中でユーザによって選択された前記マルチビューデバイスのチャンネル及び表示モードを選択するための前記ＵＩを前記ディスプレイ部に表示するように制御することができる。
【００１３】
ここで、前記マルチビューデバイスは、左眼シャッターレンズ及び右眼シャッターレンズを含み、前記制御部は、前記ＵＩを通じて選択されたチャンネル及び表示モードに対応して表示された画面と前記マルチビューデバイスの前記左眼シャッターレンズ及び前記右眼シャッターレンズの開閉動作を同期するための同期信号を前記通信部を通じて前記マルチビューデバイスに送信するように制御し、前記マルチビューデバイスは前記同期信号に基づいて前記左眼シャッターレンズ及び前記右眼シャッターレンズを開閉動作することができる。
【００１４】
また、前記目的は本発明により、映像及びＵＩを表示するディスプレイ部と、前記映像に同期して動作可能な少なくとも一つのマルチビューデバイスと通信する通信部を含むディスプレイ装置のモード選択方法において、ユーザからマルチビュー機能の設定のための命令を受信する段階；前記少なくとも一つのマルチビューデバイスに対応するチャンネル及び表示モードを選択するためのＵＩを表示する段階；ユーザから前記ＵＩを通じて前記チャンネル及び表示モードの選択に関する命令が入力される段階；及び前記ＵＩを通じて選択されたチャンネル及び表示モードに基づいた映像を前記ディスプレイ部に表示する段階を含むことを特徴とするディスプレイ装置のモード選択方法によって達成されることもできる。
【００１５】
ここで、前記表示モードは２Ｄ表示モード及び３Ｄ表示モードを含むことができる。
【００１６】
ここで、前記ディスプレイ装置はユーザの命令が入力されるためのユーザ入力部をさらに含み、前記ユーザ入力部は前記ＵＩを選択するための複数のボタンを含むことができる。
【００１７】
ここで、前記ユーザ入力部から前記チャンネル及び表示モードの選択に関する命令が入力される段階は、前記マルチビューデバイスの中で一つの選択に関する命令を受信する段階を含み、前記ユーザの命令に基づいて前記選択されたマルチビューデバイスに対応する画面が操作されるように制御する段階をさらに含むことができる。
【００１８】
ここで、前記ユーザ入力部は前記マルチビューデバイスの中で一つを選択するための少なくとも一つのボタンを含み、前記マルチビューデバイスの選択に関する情報を前記ディスプレイ部に表示する段階をさらに含むことができる。
【００１９】
ここで、前記マルチビューデバイスはユーザの命令が入力されるためのユーザ入力部を含み、前記通信部を通じて前記マルチビューデバイスのユーザ入力部からユーザの命令が入力を受信する段階と、前記命令を送信したマルチビューデバイスに対応する画面が操作されるように制御する段階をさらに含むことができる。
【００２０】
ここで、前記ディスプレイ装置とペアリングされたマルチビューデバイスを検索して前記ディスプレイ部に表示する段階をさらに含み、前記ＵＩを表示する段階は、前記検索されたマルチビューデバイスの中でユーザによって選択された前記マルチビューデバイスのチャンネル及び表示モードを選択するための前記ＵＩを前記ディスプレイ部に表示する段階を含むことができる。
【００２１】
ここで、前記マルチビューデバイスは、左眼シャッターレンズ及び右眼シャッターレンズを含み、前記ＵＩを通じて選択されたチャンネル及び表示モードに対応して表示された画面と、前記マルチビューデバイスの前記左眼シャッターレンズ及び前記右眼シャッターレンズの開閉動作を同期すための同期信号を前記通信部を通じて前記マルチビューデバイスに送信する段階と、前記同期信号に基づいて前記マルチビューデバイスの前記左眼シャッターレンズ及び前記右眼シャッターレンズを開閉動作する段階をさらに含むことができる。
【発明の効果】
【００２２】
前述のように、本発明によれば、ディスプレイ装置を通じてマルチビュー機能を具現する時、ユーザ各々に対応する映像を効率的に制御するためのユーザインターフェースを提供することができる。
【図面の簡単な説明】
【００２３】
【図１】本発明によるディスプレイ装置及びマルチビューデバイスを簡略に示す図である。
【図２】本発明によるディスプレイ装置の制御ブロック図である。
【図３】本発明によるディスプレイ装置の制御ブロック図である。
【図４】本発明によるディスプレイ装置の制御ブロック図である。
【図５】本発明によるディスプレイ装置の制御ブロック図である。
【図６】本発明によるＵＩの一例を示す図である。
【図７】本発明によるＵＩの一例を示す図である。
【図８】本発明によるＵＩの一例を示す図である。
【図９】本発明によるディスプレイ装置のモード選択方法のフローチャートである。
【図１０】本発明によるディスプレイ装置のモード選択方法のフローチャートである。
【発明を実施するための形態】
【００２４】
以下、添付図面を参照して本発明に対して詳しく説明する。以下の実施形態では、本発明の思想と直接的に関連のある構成に対してだけ説明し、その他の構成に対しては説明を省略する。しかし、本発明の思想が適用された装置又はシステムを具示することにおいて、このように説明が省略された構成が不必要を意味することではないことを明らかにする。
【００２５】
図１は本発明によるディスプレイ装置１００及びマルチビューデバイスを簡略に示す図である。ディスプレイ装置１００は外部の映像供給源（図示せず）から受信した映像信号又は内／外部に保存された映像データを処理して表示し、ＤＴＶ（Ｄｉｇｉｔａｌ  Ｔｅｌｅｖｉｓｉｏｎ）で具現されることができる。
【００２６】
マルチビューデバイス２１０、２２０はディスプレイ装置１００に表示される画面に同期して左眼レンズ及び右眼レンズを開閉することによって光を選択的に透過させる３Ｄシャッターメガネで具現されることができる。ユーザは各自マルチビューデバイス２１０、２２０を着用してディスプレイ装置１００に表示される画面を視聴することができるし、図１及び以下の説明ではマルチビューデバイス２１０、２２０のユーザが２人であることを例えて説明するが、３人以上である場合にも本発明を具示するのに困難がないだろう。
【００２７】
ディスプレイ装置１００は一般的な２Ｄ映像以外に３Ｄ映像及びマルチビュー（ｍｕｌｔｉ−ｖｉｅｗ）映像を表示することができる。即ち、３Ｄ映像の場合左眼映像と右眼映像を交番的に表示できて、マルチビュー映像の場合各々異なるユーザに認知されるための第１映像と第２映像を交番的に表示することができる。マルチビュー映像が表示される場合、ディスプレイ装置１００はマルチビュー映像とそれぞれのマルチビューデバイス２１０、２２０を同気化するための同期信号を送信する。第１マルチビューデバイス２１０は同期信号により、第１映像が表示される時点に光を透過させ、第２映像が表示される時点に光を遮断するようにレンズを開閉し、第２マルチビューデバイス２２０は第２映像が表示される時点に光を透過させ、第１映像が表示される時点に光を遮断するようにレンズを開閉する。従って、ディスプレイ装置１００の画面上には第１映像と第２映像が交番的に表示されるマルチビュー映像が表示されるが、第１マルチビューデバイス２１０及び第２マルチビューデバイス２２０のユーザは各々第１映像及び第２映像だけを認知することによって、各々異なる映像を同時に視聴することができる。
【００２８】
本発明によるディスプレイ装置１００は前述したマルチビュー機能をさらに拡張して、第１マルチビューデバイス２１０と第２マルチビューデバイス２２０のユーザが互いに異なる３Ｄ映像を視聴するように提供することができる。この場合、ディスプレイ装置１００に表示されるマルチビュー映像は第１左眼映像、第２左眼映像、第１右眼映像、第２右眼映像の順序で交番的に表示され、これに同期して第１マルチビューデバイス２１０の左眼レンズ、第２マルチビューデバイス２２０の左眼レンズ、第１マルチビューデバイス２１０の右眼レンズ、第２マルチビューデバイス２２０の右眼レンズ順で光を透過させることができる。前述したマルチビュー映像を３Ｄで具示する例は一実施形態に過ぎなくて、表示される映像及び同期して開閉されるマルチビューデバイス２１０、２２０のレンズの順序は異なることができ、複数のユーザが互いに異なる３Ｄ映像を視聴できる形態ならば、本発明に適用されることに何の支障がないだろう。
【００２９】
前述のように、複数のユーザが各自のマルチビューデバイス２１０、２２０を着用して、マルチビュー映像を視聴しようとする場合、各自が視聴しようとするチャンネル及び２Ｄ或は３Ｄ映像のような表示モードを選択することが要求されるのに、これを選択するためのユーザインターフェース（Ｕｓｅｒ  Ｉｎｔｅｒｆａｃｅ、以下‘ＵＩ’と言う）の具現を中心として以下で本発明に対して説明する。
【００３０】
図２は本発明によるディスプレイ装置１００の制御ブロック図である。図２に示すように、ディスプレイ装置１００は映像受信部１１０、映像処理部１２０、ディスプレイ部１３０、通信部１４０、制御部１５０を含み、必要に従ってユーザ入力部３００をさらに含むことができる。
【００３１】
映像受信部１１０は少なくとも一つのチャンネルの映像信号を受信する。映像受信部１１０は受信する映像信号の規格及びディスプレイ装置１００の具現形態に従って多様な形式で設けられるのに、例えば、放送局から送出されるＲＦ（Ｒａｄｉｏ  Ｆｒｅｑｕｅｎｃｙ）放送信号を受信するチューナーで具現されることができる。本発明によるディスプレイ装置１００はマルチビュー機能の実行時複数のチャンネルの映像を表示することができるので、映像受信部１１０は同時に複数のチャンネルに対応する映像信号を受信できるマルチチューナーで具現されることができる。
【００３２】
映像処理部１２０は受信された映像信号を既設定された映像処理プロセスに従って処理する。映像処理部１２０で行われる映像処理プロセスは、例えば、デコーディング（ｄｅｃｏｄｉｎｇ）、ディ−インターレーシング（ｄｅ−ｉｎｔｅｒｌａｃｉｎｇ）、スケーリング（ｓｃａｌｉｎｇ）、ノイズ減少（ｎｏｉｓｅ  ｒｅｄｕｃｔｉｏｎ）、ディテール強化（ｄｅｔａｉｌ  ｅｎｈａｎｃｅｍｅｎｔ）等があり、その種類は限られない。映像処理部１２０はこのような色々な機能を統合させたＳＯＣ（Ｓｙｓｔｅｍ−Ｏｎ−Ｃｈｉｐ）又は各プロセスを独自に遂行できる個別構成が装着された映像処理ボードで具現されることができる。
【００３３】
ディスプレイ部１３０は映像処理部１２０で処理された映像信号による映像及び後述する制御部１５０によって生成されたＵＩを表示する。ディスプレイ部１３０はＰＤＰ（Ｐｌａｓｍａ  Ｄｉｓｐｌａｙ  Ｐａｎｅｌ）、ＬＣＤ（Ｌｉｑｕｉｄ  Ｃｒｙｓｔａｌ  Ｄｉｓｐｌａｙ）、ＯＬＥＤ（Ｏｒｇａｎｉｃ  Ｌｉｇｈｔ  Ｅｍｉｔｔｉｎｇ  Ｄｉｏｄｅｓ）、フレキシブルディスプレイ（ｆｌｅｘｉｂｌｅ  ｄｉｓｐｌａｙ）等多様な形態で具現されることができる。
【００３４】
通信部１４０はマルチビューデバイス２１０、２２０と通信する。前述のように、マルチビューデバイス２１０、２２０はディスプレイ部１３０に表示される映像に同期して動作し、通信部１４０は表示されるマルチビュー映像とマルチビューデバイス２１０、２２０のレンズ開閉動作を同気化するための同期信号をそれぞれのマルチビューデバイス２１０、２２０に送信する。通信部１４０は公知の規格／非規格無線通信方式を通じて各マルチビューデバイス２１０、２２０と通信することができるのに、代表的にブルートゥース（Ｂｌｕｅｔｏｏｔｈ（登録商標））標準により各マルチビューデバイス２１０、２２０とペアリングして、同期信号をはじめとする各種データを送受信することができる。
【００３５】
制御部１５０は本発明を構成するディスプレイ装置１００の全般的な動作制御を遂行し、制御プログラムを保存する非揮発性メモリー、保存された制御プログラムをローディングする揮発性メモリーと、ローディングされた制御プログラムを実行するＣＰＵ（Ｃｅｎｔｒａｌ  Ｐｒｏｃｅｓｓｉｎｇ  Ｕｎｉｔ）、ＭＣＵ（Ｍｉｃｒｏ  Ｃｏｎｔｒｏｌ  Ｕｎｉｔ）等のようなマイクロプロセッサーを含むことができる。
【００３６】
制御部１５０はユーザによってマルチビュー機能が実行されれば、通信部１４０を通じて連結された少なくとも一つのマルチビューデバイス２１０、２２０と対応するチャンネル及び表示モードを選択するためのＵＩを生成してディスプレイ部１３０に表示するように制御する。マルチビュー映像がディスプレイ部１３０に表示されれば、マルチビューデバイス２１０、２２０を着用した複数のユーザの目には互いに異なるチャンネルの映像が認知されても、ユーザは同じ画面を凝視するので、一つのＵＩを通じて複数のユーザ、即ちマルチビューデバイス２１０、２２０各々に対応するチャンネル設定、表示モード設定、その他の画面設定等を操作することができるようにすることが望ましいだろう。したがって、ＵＩはマルチビューデバイス２１０、２２０、選択されたマルチビューデバイス２１０、２２０を通じて視聴するチャンネル、選択されたチャンネルの２Ｄ又は３Ｄ表示モードを順次的に選択できるように提供されることができる。
【００３７】
マルチビューデバイスがブルートゥースを通じて通信部１４０と通信する場合、マルチビュー機能が設定される時、制御部１５０は、ディスプレイ装置１００とペアリングされたマルチビューデバイスを検索してディスプレイ部１３０に表示し、検索されたマルチビューデバイスの中でユーザが特定マルチビューデバイスを選択すれば、選択されたマルチビューデバイスを通じてマルチビューを視聴するようにすることができて、この時選択されたマルチビューデバイスに対応するチャンネル及び表示モードを選択するためのＵＩを表示することができる。
【００３８】
制御部１５０はＵＩを、表示されるマルチビュー映像と別個のレイヤー（ｌａｙｅｒ）で形成して、マルチビュー映像の全面に表示するようにし、この時表示されるＵＩは複数のユーザ各々に同一に認知される。表示されるＵＩの具体的な形態に関しては図３乃至図５を通じて後述する。
【００３９】
ユーザが後述するユーザ入力部３００を通じて表示されたチャンネル及び表示モードを選択すれば、制御部１５０はユーザによって選択されたチャンネル及び表示モードに基づいて映像を表示するように映像処理部１２０を制御する。例えば、２人のユーザがそれぞれのマルチビューデバイス２１０、２２０を通じてマルチビューを視聴する時、各々８番及び９番チャンネルを選択し、表示モードを各々２Ｄ及び３Ｄモードで選択した場合、ディスプレイ部１３０には８番チャンネルの単一映像と９番チャンネルの左眼映像及び右眼映像がかわるがわる表示される。また、制御部１５０は表示される画面とマルチビューデバイス２１０、２２０の左眼シャッターレンズ及び右眼シャッターレンズの開閉動作を同期するための同期信号を通信部１４０を通じてマルチビューデバイス２１０、２２０に送信するように制御し、マルチビューデバイス２１０、２２０は受信した同期信号に基づいて左眼シャッターレンズ及び右眼シャッターレンズを開閉動作する。従って、それぞれのユーザはＵＩを通じて選択したチャンネル及び表示モードによる映像をマルチビューデバイス２１０、２２０を通じて視聴することができる。
【００４０】
本発明によるディスプレイ装置１００はユーザの命令が入力されるためのユーザ入力部３００をさらに含むことができる。ユーザ入力部３００は遠隔制御装置の形態でディスプレイ装置１００と別個で設けられるし、ディスプレイ装置１００の外面に設けられることもできる。
【００４１】
マルチビュー機能が実行されても、一つのディスプレイ装置１００を操作するために複数のユーザ入力部３００を含むことは費用の側面、使用の側面で望ましくないので、マルチビュー機能を提供するディスプレイ装置１００のユーザ入力部３００は特定マルチビューデバイス２１０、２２０に対応する映像を操作することができるように設けられることが望ましいだろう。ユーザ入力部３００の具体的な形態に対しては図６乃至図８を通じて後述する。
【００４２】
図３乃至図５は本発明によるＵＩ４００の一実施形態を示す図である。図３乃至図５では２人のユーザが各々第１マルチビューデバイス２１０及び第２マルチビューデバイス２２０を着用してマルチビューを視聴することを例えて説明する。
【００４３】
図面に示すように、マルチビュー機能が実行されれば、これを画面の上段等に表示する４１０。ＵＩ４００には第１マルチビューデバイス２１０又は第２マルチビューデバイス２２０の中でチャンネル及び表示モードを設定する対象になるマルチビューデバイスを選択するためのサブＵＩ４２０が表示される。この時、第１マルチビューデバイス及び第２マルチビューデバイスを選択するための窓４２１、４２２にはそれぞれのＰＩＮコード又は装置名等が表示されることができる。図面に示すように、ユーザが第１マルチビューデバイス窓４２１を選択すれば第１マルチビューデバイスが強調されて表示され、後述のように第１マルチビューデバイスのチャンネル及び表示モードを設定するためのサブＵＩ４３０が表示される。即ち、ユーザが第１マルチビューデバイスと第２マルチビューデバイスの中で一つを選択すれば、ユーザ入力部３００を通じるチャンネル及びモード選択をはじめとする制御命令に基づいて選択されたマルチビューデバイスに対応する画面が操作される。
【００４４】
第１マルチビューデバイスが選択されれば４２１、第１マルチビューデバイス２１０を通じて視聴するチャンネルを選択するためのサブＵＩ４３０が表示される。例えば、マルチビュー実行前のチャンネル又は現在第１マルチビューデバイス２１０を通じて視聴中であるチャンネルが９番４３２である場合、９番の前／後チャンネルである８番４３１、１０番４３３チャンネルが共に表示されるし、チャンネル転換によりこれは変更されることができる。チャンネル番号に対応する窓は該当チャンネルの画面又はプログラム情報が表示されることができる。
【００４５】
第１マルチビューデバイスを通じて視聴するチャンネルが選択されれば、図４に示すように、表示モードを設定するためのサブＵＩ４４０が表示される。表示モードは２Ｄ表示モード４４１及び３Ｄ表示モード４４２を含めるし、該当チャンネルを通じて２Ｄ映像の視聴だけが可能な場合、視聴可能な２Ｄ表示モードだけがサブＵＩ４４０に含まれることができる。
【００４６】
図４とは異なるように、第１マルチビューデバイス２１０及び第２マルチビューデバイス２２０を通じて視聴するチャンネルが全部選択されれば、図５に示すように、それぞれの表示モードを同時に選択できるサブＵＩ４５０が表示されることもできる。
【００４７】
連結された第１マルチビューデバイス２１０と第２マルチビューデバイス２２０のチャンネル及び表示モードの選択が全部完了されると、制御部１５０は選択されたチャンネル及び表示モードに基づいて映像を表示するように前記映像処理部１２０を制御し、前記通信部１４０を通じて第１マルチビューデバイス２１０と第２マルチビューデバイス２２０に同期信号を送信するように制御する。従って、各ユーザはマルチビュー機能を通じてそれぞれ異なる画面を視聴することができる。
【００４８】
図６乃至図８は本発明によるユーザ入力部３００の一実施形態を示す図である。
【００４９】
ユーザ入力部３００は一般的な遠隔制御装置の形態を有することができるし、ただ、マルチビュー機能を実行するためのボタン及びマルチビューデバイスを選択するためのボタンをさらに含むことができる。ユーザ入力部３００の形態は、図示とは異なるように、タッチパッド等公知の異なる形態で具現されることもできる。
【００５０】
ユーザ入力部３００はディスプレイ部１３０に表示されたＵＩを選択するための複数のボタンを含むことができる。図６に示すように、マルチビュー機能を実行するためのボタン３２０及びマルチビューデバイスを選択し、チャンネル及び表示モードを選択するためのボタン３３０が含まれることができる。例えば、参照番号３３０のボタンの中で左／右ボタンを通じて図３に示すＵＩ４００で第１マルチビューデバイスと第２マルチビューデバイスの中で一つを選択できて、上／下ボタンを通じてチャンネルを転換したり、２Ｄ／３Ｄ表示モードの中で一つを選択することができる。
【００５１】
他の例として、図７に示すように、マルチビューデバイスを選択するためのトグルボタン３４０が設けられることができる。ユーザがトグルボタン３４０を押せば、画面制御の対象が第１マルチビューデバイス２１０と第２マルチビューデバイス２２０間に変更され、制御部１５０は現在選択中であるマルチビューデバイスに関する情報をディスプレイ部１３０に表示するように制御することができる。
【００５２】
前述した実施形態によれば、複数のユーザが一つのユーザ入力部３００を活用して、それぞれ視聴しようとする映像及び表示モードを効率的に選択できる環境を提供することができる。
【００５３】
また他の実施形態として、図８に示すように、ユーザ入力部はマルチビューデバイス２００に含まれることができる。図面に示すように、ユーザ入力部はマルチビューデバイスのメガネのつるでレンズと連結する部位２０２に一つ以上のボタンの形態で含まれることができる。また、メガネつるの中間又はレンズと連結部品の反対端にも形成されることができて、各レンズ２０１の枠の部分に形成される等ユーザ入力部の位置には何の制約がない。
【００５４】
この時、制御部１５０は通信部１４０を通じてマルチビューデバイス２００に含まれたユーザ入力部３００からユーザの命令が入力されれば、命令を送信したマルチビューデバイス２００に対応する画面が操作されるように制御することができる。例えば、第１マルチビューデバイスのユーザ２１０がチャンネルを転換すれば、第１マルチビューデバイス２１０に対応するチャンネルだけが変更され、第２マルチビューデバイス２２０が視聴中である画面には何の影響がない。
【００５５】
詳述した本発明によるディスプレイ装置１００は、マルチビュー機能の具現時に、ユーザ各々に対応する映像を効率的に制御するためのユーザインターフェースを提供することができる。
【００５６】
図９及び図１０は本発明によるディスプレイ装置１００のモード選択方法のフローチャートである。
【００５７】
ディスプレイ装置１００は映像及びＵＩを表示するディスプレイ部と、マルチビューデバイスと通信する通信部を含み、マルチビュー機能を具現できるＤＴＶで具現されることができる。また、マルチビューデバイスは左眼シャッターレンズ及び右眼シャッターレンズを含み、表示される画面に同期して各レンズを開閉することによって光を選択的に透過させて、ユーザにマルチビュー映像及び３Ｄ映像を提供することができる。
【００５８】
ディスプレイ装置１００はユーザからマルチビュー機能の設定のための命令を受信する。
【００５９】
マルチビューが実行された場合（Ｓ１１０）、少なくとも一つのマルチビューデバイスに対応するチャンネル及び表示モードを選択するためのＵＩを表示する（Ｓ１２０）。前述のように、表示されるＵＩは各マルチビューデバイスを通じて視聴できるチャンネルを選択するためのサブＵＩと選択されたチャンネルに対応する２Ｄ表示モード又は３Ｄ表示モードを選択するためのサブＵＩを含む。例えば、図１０に示すように、第１マルチビューデバイスのチャンネルの選択（Ｓ１２２）、第１マルチビューデバイスの表示モード選択（Ｓ１２４）、第２マルチビューデバイスのチャンネルの選択（Ｓ１２６）、第２マルチビューデバイスの表示モード選択（Ｓ１２８）の順序でそれぞれのサブＵＩを表示することができるし、順序及び表示されるＵＩの形態は限定されない。
【００６０】
ＵＩを通じて、ユーザのチャンネル及び表示モード選択が完了されると（Ｓ１３０）、チャンネル及び表示モードに基づいた映像を表示する（Ｓ１４０）。映像の表示と共に、表示された画面と、マルチビューデバイスの左眼シャッターレンズ及び右眼シャッターレンズの開閉動作を同期すための同期信号を通信部を通じてマルチビューデバイスに送信し、マルチビューデバイスは受信した同期信号に基づいて左眼シャッターレンズ及び右眼シャッターレンズを開閉動作する。
【００６１】
マルチビューデバイスがブルートゥースを通じて通信部と通信する場合、マルチビュー機能が設定される時、ディスプレイ装置１００は、ディスプレイ装置１００とペアリングされたマルチビューデバイスを検索してディスプレイ部に表示し、検索されたマルチビューデバイスの中でユーザが特定マルチビューデバイスを選択すれば、選択されたマルチビューデバイスを通じてマルチビューを視聴するようにすることができて、この時選択されたマルチビューデバイスに対応するチャンネル及び表示モードを選択するためのＵＩを表示することができる。
【００６２】
本発明によるディスプレイ装置１００はユーザの命令が入力されるためのユーザ入力部をさらに含むことができる。ユーザ入力部は遠隔制御装置の形態でディスプレイ装置１００と別個で設けられるし、ディスプレイ装置１００の外面に設けられることもできる。ユーザ入力部は表示されたＵＩを選択するための複数のボタンを含めるし、ユーザ入力部の形態は、図３及び図４を通じて説明したことがある。
【００６３】
ユーザ入力部からチャンネル及び表示モードの選択に関する命令が入力される段階は、マルチビューデバイスの中で一つの選択に関する命令を受信する段階を含み、ユーザの命令に基づいて選択されたマルチビューデバイスに対応する画面が操作されるように制御する段階をさらに含むことができる。また、ユーザ入力部はマルチビューデバイスの中で一つを選択するためのボタンを含み、モード選択方法はボタンを通じる選択、即ち、マルチビューデバイスの選択に関する情報をディスプレイ部に表示する段階をさらに含むことができる。
【００６４】
前述とは異なるように、ユーザ入力部はマルチビューデバイスに設けられることもできる。この場合、マルチビューデバイスに含まれたユーザ入力部からユーザの命令が入力されれば、命令を送信したマルチビューデバイスに対応する画面だけが操作され、他のマルチビューデバイスに対応する画面には何の影響がない。
【００６５】
以上、添付図面を参照して、本発明の実施形態を説明したが、本発明の属する技術分野で通常の知識を有する者は本発明のその技術的思想や必須特徴が変更されなくても他の具体的な形態で実施されることができるということで理解することができる。したがって、前述した実施形態はすべての面で例示的なものであり、限定的ではないと理解しなければならない。本発明の範囲は前記詳細な説明よりも後述する特許請求範囲によって定まられ、特許請求範囲の意味及び範囲そしてその均等概念から導出されるすべての変更又は変形された形態が本発明の範囲に含まれると解釈されなければならない。
【符号の説明】
【００６６】
１００  ディスプレイ装置
１１０  映像受信部
１２０  映像処理部
１３０  ディスプレイ部
１４０  通信部
１５０  制御部
２００、２１０、２２０  マルチビューデバイス
３００  ユーザ入力部
【図１】
2013258692.tif 000003
【図２】
2013258692.tif 000004
【図３】
2013258692.tif 000005
【図４】
2013258692.tif 000006
【図５】
2013258692.tif 000007
【図６】
2013258692.tif 000008
【図７】
2013258692.tif 000009
【図８】
2013258692.tif 000010
【図９】
2013258692.tif 000011
【図１０】
2013258692.tif 000012